(57)【要約】【課題】地球環境への悪影響を非常に少なくすること。【解決手段】コタツは、天板１０と、脚部１２と、ヒータユニット１４とを備えている。天板１０は、正方形状に形成されている。脚部１２は、４本から構成され、天板１０の四隅に配置されている。ヒータユニット１４は、発熱光源となるハロゲンランプやメッシュ状のカバーなどを備えている。天板１０は、芯材と、仕上げシートとから構成されている。脚部１２は、天板１０と同様に、芯材と、仕上げシートとから構成されている。芯材は、廃材チップや木材チップを粉砕して、接着剤で圧縮成型した圧縮木材、または、圧縮合板から構成されている。仕上げシートは、外部に露出する表面部分に、全て熱圧着されている。【選択図】  図１
2004340400.tif 000002
【特許請求の範囲】
【請求項１】
平板状の天板と、前記天板の四隅に設けられる４本の脚部と、前記天板の下面に固定されるヒータユニットとを備えたコタツにおいて、
前記天板および脚部は、芯材と、前記芯材の表面に熱圧着される仕上げシートとを有し、
前記芯材は、廃材チップや木材チップを粉砕して、接着剤で圧縮成型した圧縮木材、または、圧縮合板から構成され、
前記仕上げシートを前記天板および脚部の外観全表面に設けたことを特徴とするコタツ。
【請求項２】
前記仕上げシートは、接着剤が裏面に塗布され、表面に木目模様などが施された紙材からなり、前記天板ないしは脚部に熱圧着した後に、表面に仕上げ塗装を施すことを特徴とする請求項１記載のコタツ。
【発明の詳細な説明】
【０００１】
【発明の属する技術分野】
この発明は、暖房機器の一種であるコタツに関するものである。
【０００２】
【従来の技術】
コタツは、旧来から暖房機器として使用されており、公知文献の存在は確認していないが、通常、平板状の天板と、前記天板の四隅に設けられる４本の脚部と、前記天板の下面に固定されるヒータユニットとを備えている。
【０００３】
このような構成のコタツは、一般に、天然木や植林木を原材料して、これらを木工加工することで、平板状の天板や、円筒状の脚部に形成している。
【０００４】
しかしながら、このような従来のコタツには、以下に説明する課題があった。
【０００５】
【発明が解決しようとする課題】
すなわち、天然木や植林木を原材料して用いるコタツは、この種の原材料が、乱伐による地球環境に対する悪影響も懸念されこともあって、コストの高騰や、資源の枯渇化が予測されるとともに、加工や表面仕上げにも手間がかかり、より一層コスト高となっていた。。
【０００６】
本発明は、このような従来の問題点に鑑みてなされたものであって、その目的とするところは、地球環境への悪影響が非常に少なく、しかも、コストを大幅に低減することができるコタツを提供することにある。
【０００７】
【課題を解決するための手段】
上記目的を達成するために、本発明は、平板状の天板と、前記天板の四隅に設けられる４本の脚部と、前記天板の下面に固定されるヒータユニットとを備えたコタツにおいて、前記天板および脚部は、芯材と、前記芯材の表面に熱圧着される仕上げシートとを有し、前記芯材は、廃材チップや木材チップを粉砕して、接着剤で圧縮成型した圧縮木材、または、圧縮合板から構成され、前記仕上げシートを前記天板および脚部の外観全表面に設けた。
【０００８】
このように構成したコタツによれば、天板および脚部は、芯材と、芯材の表面に熱圧着される仕上げシートとを有し、芯材は、廃材チップや木材チップを粉砕して、接着剤で圧縮成型した圧縮木材、または、圧縮合板から構成されているので、天然木や植林木を原材料とする場合よりも、地球環境への悪影響が殆ど生じない。
【０００９】
また、圧縮木材や圧縮合板は、安価で、しかも、加工が容易であり、仕上げには、芯材の表面に仕上げシートを熱圧着するので、手間がかからず、製造コストを大幅に低減することができる。
【００１０】
さらに、仕上げシートを天板および脚部の外観全表面に設けるので、外観がきれいに仕上がる。
【００１１】
前記仕上げシートは、接着剤が裏面に塗布され、表面に木目模様などが施された紙材からなり、前記天板ないしは脚部に熱圧着した後に、表面に仕上げ塗装を施すことができる。
【００１２】
【発明の実施の形態】
以下、本発明の好適な実施の形態について、添付図面に基づいて詳細に説明する。図１から図５は、本発明にかかるコタツの一実施例を示している。これらの図に示したコタツは、天板１０と、脚部１２と、ヒータユニット１４とを備えている。
【００１３】
天板１０は、図３にその平面形態を示すように、本実施例の場合には、正方形状に形成され、上面の四周端縁には、アール加工が施されている。天板１０の各辺の下面には、中天板１６が固設されている。
【００１４】
この中天板１６は、所定の幅を有し、天板１０の一辺の長さよりも若干短い長さを有する細幅な平板であって、天板１０の主面に対して、直交するように配置されている。なお、本実施例で示した中天板１６は、必ずしも必要とせず、中天板１６を設けないシンプルな形態の天板１０であっても勿論良い。
【００１５】
脚部１２は、４本から構成され、天板１０の四隅に配置されている。各脚部１２は、同一形状のものであって、本実施例の場合には、図５にその断面形状を示すように、正方形断面の１つの隅部をアール面とした形状になっている。
【００１６】
各脚部１２は、一端側が天板１０の下面に固設され、他端側が設置面に着底し、この状態で、天板１０を概略水平状態に保つようになっている。ヒータユニット１４は、発熱光源となるハロゲンランプやメッシュ状のカバーなどを備え、天板１０の中央部の下面に固設されていて、図示省略の電源コードをコンセントに差し込むことにより、商用電源の供給を受けて、発熱するようになっている。
【００１７】
天板１０および中天板１６は、本実施例の場合、図４にその断面を示すように、芯材１０ａ，１６ａと、仕上げシート１０ｂ，１６ｂとから構成されている。芯材１０ａ，１６ａは、廃材チップや木材チップを粉砕して、接着剤で圧縮成型した圧縮木材、または、圧縮合板から構成されている。
【００１８】
このような圧縮木材や圧縮合板は、木工加工により、所定厚みの正方形状の平板に加工して、天板１０の素材とされ、また、所定の厚みで、所定幅と長さの平板に加工されて、中天板１６の素材とされる。
【００１９】
このような各素材の外観表面、すなわち、外部に露出する表面部分には、全て仕上げシート１０ｂ，１６ｂが熱圧着される。本実施例の場合には、図４に天板１０と中天板１６の断面を示すように、両者が接触している面を除いて、その他の面には、端面やＣ面を含めて、全て仕上げシート１０ｂ，１６ｂが施されている。
【００２０】
この場合に用いる仕上げシート１０ｂ，１６ｂは、接着剤が裏面に塗布され、表面に木目模様などが施された紙材からなり、天板１０ないしは中天板１６に熱圧着した後に、表面にウレタン塗装などの仕上げ塗装を施したものである。
【００２１】
一方、脚部１２は、天板１０や中天板１６と同様に、芯材１２ａと、仕上げシート１２ｂとから構成されている。芯材１２ａは、天板１０などと同様に、廃材チップや木材チップを粉砕して、接着剤で圧縮成型した圧縮木材、または、圧縮合板から構成されている。
【００２２】
このような圧縮木材や圧縮合板は、正方形断面の角材として、１つの隅部をアール面に木工加工して、脚部１２の素材とされる。この場合、素材の外観表面、すなわち、外部に露出する表面部分には、天板１０と同様に、全て仕上げシート１２ｂが熱圧着される。
【００２３】
つまり、本実施例の場合、各脚部１２は、上端側が天板１０の下面に固設され、下端側が着底面となっているので、これらの両面を除く部分のすべてに仕上げシート１２ｂが施されている。
【００２４】
さて、以上のように構成したコタツによれば、天板１０および脚部１２は、芯材１０ａ，１２ａと、芯材１０ａ，１２ａの表面に熱圧着される仕上げシート１０ｂ，１２ｂとを有し、芯材１０ａ，１２ａは、廃材チップや木材チップを粉砕して、接着剤で圧縮成型した圧縮木材、または、圧縮合板から構成されているので、天然木や植林木を原材料とする場合よりも、地球環境への悪影響が殆ど生じない。
【００２５】
また、圧縮木材や圧縮合板は、安価で、しかも、加工が容易であり、仕上げには、芯材１０ａ，１２ａの表面に仕上げシート１０ｂ，１２ｂを熱圧着するので、手間がかからず、製造コストを大幅に低減することができる。
【００２６】
さらに、仕上げシート１０ｂ，１２ｂを天板１０および脚部１２の外観全表面に設けるので、外観がきれいに仕上がる。
【００２７】
なお、上記実施例で示した脚部１２の高さは、任意に設定することができ、例えば、比較的短い脚部として、座卓形式のコタツとすると、あるいは、比較的長い脚部として、机形式のコタツとすることのいずれにも対応することができる。
【００２８】
また、この場合に脚部１２の断面形状も上記実施例の形状に限ることはなく、例えば、多角形断面や円形断面などに形成することもできる。さらに、圧縮木材の接着剤や仕上げシート１０ｂの接着剤に、トルエンやキシレンを含まないものを用い、ホルムアルデヒドの放出量が０．５ｍｇ／ｌ以下にすると、シックハウス症候群に対しても安全なものとすることが可能になる。
【００２９】
【発明の効果】
以上、詳細に説明したように、本発明にかかるコタツによれば、地球環境への悪影響が非常に少なく、しかも、コストを大幅に低減することができる。
【図面の簡単な説明】
【図１】本発明にかかるコタツの一実施例を示す側面図である。
【図２】図１に示したコタツの斜視図である。
【図３】図１に示したコタツの上面図である。
【図４】図１に示したコタツの天板の断面図である。
【図５】図１に示したコタツの脚部の断面図である。
【符号の説明】
１０        天板
１０ａ      芯材
１０ｂ      仕上げシート
１２        脚部
１２ａ      芯材
１２ｂ      仕上げシート
１４        ヒータユニット
１６        中天板
１６ａ      芯材
１６ｂ      仕上げシート
【図１】
2004340400.tif 000003
【図２】
2004340400.tif 000004
【図３】
2004340400.tif 000005
【図４】
2004340400.tif 000006
【図５】
2004340400.tif 000007